(57)【特許請求の範囲】
【請求項１】
微生物および病原菌因子を殺すために紫外線放射および／またはオゾンを生成する様式を用いるタイプの殺菌装置であって、
カトラリーを収容するためのキャビティ（７）を有する、開放および成形された表面によって、一般的なカトラリートレイとして構成されており、従来のカトラリートレイを置き換えることにより、据え付けの必要無く台所の引き出し（３）または台所用品のカップボードの中へ導入され得るようになっており、
少なくとも１つの紫外線光および／またはオゾンを生成する生成源（１ａ）を備え、
前記生成源（１ａ）は、紫外光放射に対してカトラリーを露出させることによりカトラリーを衛生処理するため、カトラリートレイ（２）の内側から紫外光を放射し、
紫外線および／またはオゾンを生成することによる殺菌作用がもたらされるカトラリートレイを構成する材料は、紫外光放射を透過させることができる、紫外光伝導性のプラスチックの性質を有し、この特性が、カトラリーを収容するキャビティへの紫外光の均一な拡散を可能にし、
カトラリートレイを収容する引き出しが開放状態となっている場合に放射の生成源への電力の供給を止めることにより、カトラリートレイが光の生成源から放射されることを防ぐ電気的または機械的安全システム（９）を有するバッテリー電力源（６）が設けられており、これによって、使用者への放射の生成源の露出を防ぐことができることを特徴とする殺菌装置。
【発明の詳細な説明】
【技術分野】
【０００１】
紫外線および／またはオゾンを生成する新規な殺菌カトラリートレイ２は、少なくとも１つの紫外線光および／またはオゾンを生成する生成源１ａを用いることによる新規性を提供している。生成源１ａは、カトラリートレイの内側から光を放射し、カトラリートレイ１ａに保管または収容されているカトラリーを衛生処理する。新規なカトラリートレイは、この放射に対する透過性を有する光伝導性の材料のプラスチックからなっている。カトラリートレイまたはディスペンサー（図１および図３）におけるように、および、カトラリー水切りかご（図４および図５）におけるように、殺菌カトラリートレイは、使用者に対して多大な殺菌安全性を提供する。なぜなら、それは、カトラリーに向けられる紫外線放射および／またはオゾン生成の殺菌作用による利点を得ているからである。
【０００２】
本発明は、家財道具の産業部門、ホテルの供給物および病院部門に関連している。
【背景技術】
【０００３】
今日、カトラリーは、洗浄剤を用いる従来の洗浄手順を用いることによって衛生処理されている。これらの手順の後、用品は、使用されるまで様々な保持具または容器の中に放置される。
先行技術において、紫外線放射の利用による殺菌のための一般的な装置が知られている。この装置において、均一に拡散する放射のため、通常、拡散器および反射スクリーンなど様々な外部のエレメントが適用されている。または、紫外線放射の前記生成源が、蓋としても用いられる容器アッセンブリのその他のエレメントを用いることにより均質化され反射されている。
【発明の概要】
【発明が解決しようとする課題】
【０００４】
先行技術において、家庭用品の無菌状態を維持するためにカトラリー保持トレイの中で光伝導性の材料を介して光を放射する、少なくとも１つの紫外線光および／またはオゾンを生成する生成源を包含することについての知られている示唆はない。
従って、今日のカトラリートレイにおける保管が、収容されている台所用品が洗浄された時から当該台所用品が使用される時までの間に当該台所用品が病原菌因子によって汚染されないということを保証しない場合、台所用品が洗浄された時から台所用品が使用される時まで、衛生的な保証を台所用品に得させることが望ましい。このことは、とりわけ医療環境に関連している。
【０００５】
台所用品のためのカトラリートレイにおける、本発明による紫外線放射および／オゾン生成の一体化は、カトラリーにおける的確な無菌状態の保証に対して求められる状態を満足する、新規な最終的な結果を得ることを可能とする。
このため、本発明は、紫外線放射を拡散させ均質化するため、それ自体が光伝導性を有するプラスチックを用いてカトラリートレイを構成して、少なくとも１つの紫外線および／またはオゾンを生成する光を前記用品に放射することの適用による無菌状態の保証を提供する。カトラリートレイの成形物は、特にカトラリーを収容するためのキャビティを有している。
【課題を解決するための手段】
【０００６】
紫外線殺菌および／またはオゾン生成が提供される新規なカトラリートレイは、一般的なカトラリー保持トレイ（図１および図２）の内側から光を放射する少なくとも１つの紫外線放射の生成源および／またはオゾンを生成する生成源１ａを備えている。その他の紫外線放射および／またはオゾンを生成する装置１ｂの形態は、装置１ｂにおけるそれ自体が光伝導性を有する材料の表面から光を放射する（図３）。紫外線放射および／またはオゾンを生成する装置であって、その中にカトラリーが垂直に配置されている装置というその他の形態が考えられる。この場合、一般的な洗浄の後の水切り、および、紫外線光の生成源１ａによる装置の内側からの放射が可能となっている（図４および図５）。
【０００７】
カトラリーを保持または保管するこれらのカトラリートレイは、好ましくは、光伝導特性を有するプラスチックの性質を有しており、このため、光生成源１ａは、用品を保持するためのキャビティに導かれてキャビティに均一に放射することができる。
【０００８】
光伝導性のプラスチックの性質は、異なる屈折率を有する２つのガラス質のポリマーを組み合わせることにより得られる。
【０００９】
光放射の生成源は、バッテリー６（図２）によって給電されるか、または、電気パワーグリッド４（図４）から直接に給電される。前記放射の動作期間は、必要であれば、一般的な電子回路部品を用いて自動化され得る。
【００１０】
さらに、潜在的に有害な光放射から使用者を保護する目的で、様々な安全システムまたはデバイス９が用いられる。安全システムまたはデバイス９は、光放射の生成源が設置されている引き出し３付きタンスのドアが開放状態にあるときに放射を遮蔽する。
【図面の簡単な説明】
【００１１】
説明を補完するものとして、また、本発明の特徴のより良い理解のため、一連の図が、説明的なメモリと一体的なものとして説明的なメモリに添付される。非限定的な態様における図示のため、以下のものが示されている。
【図１】図１は、一般的な引き出し３の中に配置される前のカトラリートレイ２を示している。符号７は用品が収容されるキャビティを表しており、符号８はスイッチを表しており、符号９は安全エレメント（システム）を表している。
【図２】図２は、カトラリー保持トレイ２の断面を示している。カトラリー保持トレイ２の内側には、光放射の生成源１ａおよび電源６が視認される。符号８はスイッチを表しており、符号９は安全エレメント（システム）を表している。
【図３】図３は、カトラリートレイ２を示している。トレイの外側にある光放射の生成源１ｂが視認される。符号７は用品が収容されるキャビティを表しており、符号８はスイッチを表しており、符号９は安全エレメント（システム）を表している。
【図４】図４は、スイッチ８を用いることにより電気パワーグリッド４に送られるカトラリー水切り保持具５を示している。
【図５】図５において、内側に、光放射の生成源１ａが視認される。
【発明を実施するための形態】
【００１２】
以下の好ましい形態（図１および図２）に記載される、台所用品のために紫外線および／またはオゾンを生成する殺菌カトラリー保持トレイは、少なくとも１つの紫外線光および／またはオゾンを生成する生成源１ａを備えている。少なくとも１つの紫外線光および／またはオゾンを生成する生成源１ａは、プラスチックの光伝導性の性質を有する本体部２、すなわち前記放射に対する透過性を有する本体部２の中に設けられている。また、プラスチックトレイ（本体部）２に収容されたバッテリー電源６が設けられている。
予め洗浄された用品が、保持具（トレイ）２のキャビティ７の中に配置されている。光放射の生成源を動作させることにより、紫外線および／またはオゾンを生成する生成源１ａから、トレイのキャビティまたはハウジング７に放射線が放射され、光伝導性のプラスチック材料からなる保持具の表面にわたって光放射が均一に分散する。光伝導性のプラスチック材料は、ポリメタクリル酸などのガラス質のポリマーからなっており、その表面は、異なる屈折率を有するその他のポリマーによって被覆されている。この被覆を得ることは、例えば、この第２のポリマーにおいてカトラリートレイを水に沈め、その後に工程において用いられる溶媒を蒸発させるための乾燥処理を行うことによる。
【００１３】
台所用品のために紫外線および／またはオゾンを生成する殺菌カトラリートレイの動作は、一般的なスイッチ８およびＬＤＲ（光ダイオード抵抗器）センサ（安全エレメント）９を用いることにより実施される。スイッチ８およびＬＤＲセンサ９は、引き出しが閉鎖されている場合のみ光生成源をオンにする。従って、使用者への放射線照射を防ぐことができる。
【００１４】
エレメントの材料、形状、寸法および配置は、クレームされる発明の本質的な特徴を変えることが含まれない限りにおいて変更され得る。
【図１】
0005243603.tif 000002
【図２】
0005243603.tif 000003
【図３】
0005243603.tif 000004
【図４】
0005243603.tif 000005
【図５】
0005243603.tif 000006